(57)【特許請求の範囲】
【請求項１】
撮像装置と携帯電話機能を含む情報処理装置とが互いに固定された固定状態と、前記撮像装置と前記情報処理装置とが互いに分離された分離状態のいずれにあるかを示す固定分離情報と、前記携帯電話機能の動作状況とに応じて、前記撮像装置または前記情報処理装置に対して異なる状態制御を行う制御部を備え、
前記制御部は、前記携帯電話機能における着信の通知方法として、前記固定分離情報が前記分離状態を示す場合、表示部で着信の通知を行う通知方法を前記撮像装置で用いる状態制御を行う
撮像システム。
【請求項２】
前記制御部は、前記携帯電話機能における着信の通知方法として、前記固定分離情報が前記固定状態を示す場合、前記撮像装置で撮像される情報に対する着信の通知の影響が少ない通知方法を前記情報処理装置で用いる
請求項１に記載の撮像システム。
【請求項３】
前記制御部は、前記固定分離情報に基づいて、前記携帯電話機能における着信中での前記固定状態から前記分離状態への状態遷移を判別し、前記状態遷移が判別された場合に、前記状態制御として前記着信に対する応答の開始指示を行う
請求項１記載の撮像システム。
【請求項４】
前記制御部は、前記固定状態で前記撮像装置が撮像モードであり、前記携帯電話機能における着信中において、前記固定分離情報に基づいて前記固定状態から前記分離状態への状態遷移を判別した場合に、前記状態制御として前記撮像モードを終了させる
請求項１記載の撮像システム。
【請求項５】
前記制御部は、前記撮像モードの終了後、前記着信に対する応答終了に基づいて前記撮像モードを再開させる
請求項４記載の撮像システム。
【請求項６】
前記制御部は、前記固定分離情報が前記分離状態を示し、前記携帯電話機能の動作状況が着信である場合に、前記状態制御として、前記着信に対する応答方式をスピーカフォンモードとする
請求項１記載の撮像システム。
【請求項７】
前記制御部は、前記固定分離情報が前記分離状態を示し、前記情報処理装置で前記携帯電話機能における着信応答中である場合、前記状態制御として前記着信応答中であることを前記撮像装置で提示させる
請求項１記載の撮像システム。
【請求項８】
前記制御部は、前記固定分離情報に基づいて、前記携帯電話機能における着信応答中での前記分離状態から前記固定状態への状態遷移を判別し、前記状態遷移が判別された場合に、前記状態制御として、前記状態遷移を前記着信に対する応答の終了指示を行う
請求項１記載の撮像システム。
【請求項９】
前記制御部は、前記着信応答に応じて前記撮像装置で撮像モードが終了された場合、前記状態制御として、前記応答の終了指示に応じて前記撮像装置で前記撮像モードを再開させる
請求項８記載の撮像システム。
【請求項１０】
前記制御部は、前記撮像装置と前記情報処理装置が連携されている場合に、前記固定状態と前記分離状態のいずれであるかに応じて異なる状態制御を行う
請求項１記載の撮像システム。
【請求項１１】
前記撮像装置と前記情報処理装置が前記固定状態と前記分離状態のいずれであるかを判別する固定分離判別部をさらに備える
請求項１記載の撮像システム。
【請求項１２】
前記撮像装置は、画像データまたは前記画像データと音声データの生成を行う
請求項１記載の撮像システム。
【請求項１３】
撮像装置と携帯電話機能を含む情報処理装置とが互いに固定された固定状態と、前記撮像装置と前記情報処理装置とが互いに分離された分離状態のいずれにあるかを示す固定分離情報と、前記携帯電話機能の動作状況とに応じて、前記撮像装置または前記情報処理装置に対して異なる状態制御を制御部で行い、前記携帯電話機能における着信の通知方法として、前記固定分離情報が前記分離状態を示す場合、表示部で着信の通知を行う通知方法を前記撮像装置で用いる状態制御を前記制御部で行う工程を
含む制御方法。
【請求項１４】
撮像装置と携帯電話機能を含む情報処理装置とが互いに固定した固定状態と、前記撮像装置と前記情報処理装置とが分離した分離状態とを有する前記情報処理装置または前記撮像装置の制御をコンピュータで実行させるプログラムであって、
前記携帯電話機能の利用時における前記撮像装置または前記情報処理装置に対して、前記固定状態と前記分離状態のいずれにあるかを示す固定分離情報と、前記携帯電話機能の動作状況とに応じて、前記撮像装置または前記情報処理装置に対して異なる状態制御を行い、前記携帯電話機能における着信の通知方法として、前記固定分離情報が前記分離状態を示す場合、表示部で着信の通知を行う通知方法を前記撮像装置で用いる状態制御を行う手順を
前記コンピュータで実行させるプログラム。
【請求項１５】
携帯電話機能を含む情報処理装置に固定された固定状態と、前記情報処理装置から分離した分離状態とを有し、
前記情報処理装置における携帯電話機能の利用時に、前記固定状態と前記分離状態のいずれにあるかを示す固定分離情報と、前記携帯電話機能の動作状況とに応じて異なる状態制御を行う制御部を備え
前記制御部は、前記携帯電話機能における着信の通知方法として、前記固定分離情報が前記分離状態を示す場合、表示部で着信の通知を行う通知方法を用いる状態制御を行う撮像装置。
【請求項１６】
撮像装置に固定された固定状態と前記撮像装置から分離した分離状態とを有し、
携帯電話機能部と、
前記携帯電話機能部の利用時に、前記固定状態と前記分離状態のいずれにあるかを示す固定分離情報と、前記携帯電話機能部の動作状況とに応じて前記撮像装置に対して異なる状態制御を行う制御部を備え、
前記制御部は、前記携帯電話機能部における着信の通知方法として、前記固定分離情報が前記分離状態を示す場合、前記撮像装置の表示部で着信の通知を行う通知方法を用いる状態制御を行う情報処理装置。
【発明の詳細な説明】
【技術分野】
【０００１】
この技術は、撮像システム、撮像装置、情報処理装置および方法とプログラムに関し、情報処理装置の携帯電話機能と撮像装置の撮像機能の利便性を両立できるようにする。
【背景技術】
【０００２】
従来、被写体を撮像して画像データを生成し、この画像データをコンテンツとして記録するデジタルスチルカメラやデジタルビデオカメラ等の撮像装置が普及している。また、携帯電話機能等を有した情報処理装置（例えば、スマートフォン等）の普及により、情報処理装置を用いて撮像装置を離れた位置から無線で遠隔操作することが提案されている（例えば、特許文献１参照）。
【先行技術文献】
【特許文献】
【０００３】
【特許文献１】特開２０１２−１８６６９８号公報
【発明の概要】
【発明が解決しようとする課題】
【０００４】
ところで、撮像装置は、情報処理装置から離れて用いる場合に限らず、情報処理装置に固定して用いるようにしてもよい。また、情報処理装置に携帯電話機能が設けられていることが考えられる。【０００５】
そこで、この技術では、撮像装置と情報処理装置が離れている場合に限らず、固定して用いることが可能である場合に、情報処理装置の携帯電話機能と、撮像装置の撮像機能の利便性を両立することができる撮像システム、撮像装置、情報処理装置および方法とプログラムを提供することを目的とする。
【課題を解決するための手段】
【０００６】
この技術の第１の側面は、
撮像装置と携帯電話機能を含む情報処理装置とが互いに固定された固定状態と、前記撮像装置と前記情報処理装置とが互いに分離された分離状態のいずれにあるかを示す固定分離情報と、前記携帯電話機能の動作状況とに応じて、前記撮像装置または前記情報処理装置に対して異なる状態制御を行う制御部を備え、
前記制御部は、前記携帯電話機能における着信の通知方法として、前記固定分離情報が前記分離状態を示す場合、表示部で着信の通知を行う通知方法を前記撮像装置で用いる状態制御を行う撮像システムにある。
【０００７】
この技術の撮像システムでは、撮像装置と携帯電話機能を含む情報処理装置とが互いに固定した固定状態と、前記撮像装置と前記情報処理装置とが分離した分離状態とを有しており、例えば固定分離判別部によって固定状態と分離状態のいずれであるか判別される。制御部では、例えば撮像装置と情報処理装置が連携されている場合、携帯電話機能の利用時における撮像装置または情報処理装置に対して、固定状態と分離状態のいずれであるかに応じて異なる状態制御を行う。具体的には、携帯電話機能における着信時に、固定状態と分離状態のいずれであるかに応じて着信の通知方法を切り替える。制御部は、固定状態であるとき、着信の通知方法を撮像装置で記録される情報に着信の通知が含まれない通知方法とする。また、分離状態であるとき、情報処理装置における着信を撮像装置で提示させる。さらに、制御部は、固定状態であるとき、携帯電話機能における着信中での固定状態から分離状態への状態遷移を着信に対する応答の開始指示、携帯電話機能における着信応答中での分離状態から固定状態への状態遷移を着信に対する応答の終了指示とする。制御部は、着信の応答開始時に固定状態で撮像装置が撮像モードであるとき、撮像モードを終了させる。また、制御部は、分離状態から固定状態への状態遷移に基づき撮像モードを再開させる。また、制御部は、分離状態であるとき携帯電話機能における着信に対してスピーカフォンモードとする。また、制御部は、分離状態であるとき情報処理装置で携帯電話機能における着信応答中であることを撮像装置で提示させる。【０００８】
この技術の第２の側面は、
撮像装置と携帯電話機能を含む情報処理装置とが互いに固定された固定状態と、前記撮像装置と前記情報処理装置とが互いに分離された分離状態のいずれにあるかを示す固定分離情報と、前記携帯電話機能の動作状況とに応じて、前記撮像装置または前記情報処理装置に対して異なる状態制御を制御部で行い、前記携帯電話機能における着信の通知方法として、前記固定分離情報が前記分離状態を示す場合、表示部で着信の通知を行う通知方法を前記撮像装置で用いる状態制御を前記制御部で行う工程を
含む制御方法にある。
【０００９】
この技術の第３の側面は、
撮像装置と携帯電話機能を含む情報処理装置とが互いに固定した固定状態と、前記撮像装置と前記情報処理装置とが分離した分離状態とを有する前記情報処理装置または前記撮像装置の制御をコンピュータで実行させるプログラムであって、
前記携帯電話機能の利用時における前記撮像装置または前記情報処理装置に対して、前記固定状態と前記分離状態のいずれにあるかを示す固定分離情報と、前記携帯電話機能の動作状況とに応じて、前記撮像装置または前記情報処理装置に対して異なる状態制御を行い、前記携帯電話機能における着信の通知方法として、前記固定分離情報が前記分離状態を示す場合、表示部で着信の通知を行う通知方法を前記撮像装置で用いる状態制御を行う手順を
前記コンピュータで実行させるプログラムにある。
【００１０】
なお、本技術のプログラムは、例えば、様々なプログラム・コードを実行可能な汎用コンピュータに対して、コンピュータ可読な形式で提供する記憶媒体、通信媒体、例えば、光ディスクや磁気ディスク、半導体メモリなどの記憶媒体、あるいは、ネットワークなどの通信媒体によって提供可能なプログラムである。このようなプログラムをコンピュータ可読な形式で提供することにより、コンピュータ上でプログラムに応じた処理が実現される。【００１１】
この技術の第４の側面は、
携帯電話機能を含む情報処理装置に固定された固定状態と、前記情報処理装置から分離した分離状態とを有し、
前記情報処理装置における携帯電話機能の利用時に、前記固定状態と前記分離状態のいずれにあるかを示す固定分離情報と、前記携帯電話機能の動作状況とに応じて異なる状態制御を行う制御部を備え
前記制御部は、前記携帯電話機能における着信の通知方法として、前記固定分離情報が前記分離状態を示す場合、表示部で着信の通知を行う通知方法を用いる状態制御を行う撮像装置にある。
【００１２】
この技術の第５の側面は、
撮像装置に固定された固定状態と前記撮像装置から分離した分離状態とを有し、
携帯電話機能部と、
前記携帯電話機能部の利用時に、前記固定状態と前記分離状態のいずれにあるかを示す固定分離情報と、前記携帯電話機能部の動作状況とに応じて前記撮像装置に対して異なる状態制御を行う制御部を備え、
前記制御部は、前記携帯電話機能部における着信の通知方法として、前記固定分離情報が前記分離状態を示す場合、前記撮像装置の表示部で着信の通知を行う通知方法を用いる状態制御を行う情報処理装置にある。
【発明の効果】
【００１３】
この技術によれば、撮像装置と携帯電話機能を含む情報処理装置とが互いに固定された固定状態と、撮像装置と情報処理装置とが互いに分離された分離状態のいずれにあるかを示す固定分離情報と、携帯電話機能の動作状況とに応じて、撮像装置または情報処理装置に対して異なる状態制御が制御部で行われる。したがって、情報処理装置の携帯電話機能と撮像装置の撮像機能の利便性を両立することができるようになる。なお、本明細書に記載された効果はあくまで例示であって限定されるものではなく、また付加的な効果があってもよい。
【図面の簡単な説明】
【００１４】
【図１】撮像システムの機能構成を例示した図である。
【図２】撮像システムの外観構成を例示した図である。
【図３】撮像システムの外観構成を例示した斜視図である。
【図４】撮像装置の正面図と側面図である。
【図５】撮像装置の機能構成を例示したブロック図である。
【図６】情報処理装置（例えばスマートフォン）の機能構成を例示したブロック図である。
【図７】撮像装置と情報処理装置との連携機能が開始されるまでの動作処理を示すシーケンス図である。
【図８】撮像装置と情報処理装置の固定分離状態を示した図である。
【図９】着信時の状態制御動作を示したフローチャートである。
【図１０】撮像時に着信を生じた場合の動作を例示した図である。
【図１１】着信時の他の状態制御動作を示したフローチャートである。
【図１２】撮像時に着信を生じた場合の他の動作を例示した図である。
【図１３】着信応答時の状態制御動作を示したフローチャートである。
【図１４】着信応答時の動作を例示した図である。
【図１５】着信応答時の他の状態制御動作を示したフローチャートである。
【図１６】着信応答時の他の動作を例示した図である。
【図１７】着信応答開始から着信終了時における状態制御動作を示したフローチャートである。
【図１８】着信終了時の動作を例示した図である。
【図１９】状態制御動作を一覧として例示した図である。
【発明を実施するための形態】
【００１５】
以下、本技術を実施するための形態について説明する。なお、説明は以下の順序で行う。
１．撮像システムの機能構成
２．撮像システムの外観
３．撮像装置の機能構成
４．情報処理装置の機能構成
５．撮像システムの動作
５−１．撮像装置と情報処理装置との連携について
５−２．撮像装置と情報処理装置の固定/分離状態の判別について
５−３．撮像システムの状態制御動作
５−３−１．着信に関した状態制御動作
５−３−２．着信応答時の状態制御動作
５−３−３．着信応答開始から着信終了時における状態制御動作
５−３−４．他の状態制御動作
【００１６】
＜１．撮像システムの機能構成＞
図１は、本技術の撮像システム１０の機能構成を例示している。撮像システム１０では、撮像装置と携帯電話機能を含む情報処理装置とが互いに固定された固定状態と、撮像装置と情報処理装置とが互いに分離した分離状態の使用態様を有している。撮像システム１０は、図１の（Ａ）に示すように制御部１５を備えている。制御部１５は、撮像装置と携帯電話機能を含む情報処理装置とが互いに固定された固定状態と分離された分離状態のいずれにあるかを示す固定分離情報と、携帯電話機能の動作状況とに応じて、撮像装置または情報処理装置に対して異なる状態制御を行う。制御部１５は、このような状態制御を行うことで、情報処理装置の携帯電話機能と、撮像装置の撮像機能の利便性を両立できるようにする。
【００１７】
撮像システム１０では、制御部を撮像装置に設けてもよく、情報処理装置に設けてもよい。また、撮像装置と情報処理装置を互いに固定するために用いられるアダプタに設けてもよい。例えば図１の（Ｂ）に示す撮像システム１０は、撮像装置２０で動作制御を行う制御部４５に、固定分離情報と携帯電話機能の動作状況とに応じて異なる状態制御を行う機能を持たせた場合を例示している。また、例えば図１の（Ｃ）に示す撮像システム１０は、情報処理装置６０で動作制御を行う制御部８５に、固定分離情報と携帯電話機能の動作状況とに応じて異なる状態制御を行う機能を持たせた場合を例示している。また、図１の（Ｄ）に示す撮像システム１０では、固定分離情報と携帯電話機能の動作状況とに応じて状態制御を行う機能を有する制御部９５を、撮像装置２０および情報処理装置６０と独立して設けた場合を例示している。
【００１８】
撮像装置と携帯電話機能を設けた情報処理装置とが、互いに固定した固定状態と互いに分離した分離状態のいずれであるかを判別する固定分離判別部は、例えば図１の（Ｂ）に示すように撮像装置２０に設けられてもよく、図１の（Ｃ）に示すように情報処理装置６０に設けられてもよい。さらに、図１の（Ｄ）に示すように、撮像装置２０および情報処理装置６０と独立して固定分離判別部９１を設けてもよい。例えば、撮像装置と情報処理装置を互いに固定するために用いられるアダプタ等に固定分離判別部９１を設ける構成としてもよい。固定分離判別部は、判別結果を示す固定分離判別情報を生成して制御部に出力して、制御部は固定分離判別情報に基づいて、固定状態と分離状態で異なる状態制御を行う。また、固定分離判別部９１は、固定分離情報と携帯電話機能の動作状況とに応じて撮像装置または情報処理装置に対して異なる状態制御を行う制御部を有する装置と異なる装置に設けてもよい。例えば図１の（Ｂ）に示す撮像システム１０のように、撮像装置２０の制御部４５に対して、固定分離情報と携帯電話機能の動作状況とに応じて異なる状態制御を行う機能を持たせた場合、情報処理装置６０に固定分離判別部９１が設けられてもよい。
【００１９】
撮像装置２０は、撮像画像（静止画像や動画像）の生成を行う。また、撮像装置２０は、無線通信機能を有しており情報処理装置６０との間で種々の情報の通信を行う。また、撮像装置２０は、撮像によって生成される撮像画像を表示する機能や撮像時の音声を出力する機能が設けられておらず、撮像時の画像データや音声データを情報処理装置へ送信することで、撮像画像の表示や音声の出力が情報処理装置で行われる。なお、撮像装置２０に、撮像画像を表示する機能や撮像時の音声を出力する機能を設けても良い。
【００２０】
情報処理装置６０は、無線通信機能や携帯電話機能および表示機能を有した機器であり、例えば携帯電話機やスマートフォン等を情報処理装置として用いることができる。無線通信機能とは、ＮＦＣ(Near Field Communication)通信機能、ＩＥＥＥ  ８０２．１１シリーズの通信規格に対応したＷｉ−Ｆｉ通信機能、ＬＴＥ(Long Term Evolution)等の通信機能等である。また、携帯電話機能とは、基地局と通信することで通話や各種情報（例えばメールや画像情報，音声情報等）の伝送を行う機能である。情報処理装置６０は、無線通信機能を利用して撮像装置２０から供給された情報の処理を行う。例えば情報処理装置６０は、撮像装置２０から供給された画像データや音声データに基づき撮像画像の表示や音声出力を行う。
【００２１】
なお、撮像システム１０は、図１に示す構成に限られない。例えば撮像システム１０は、制御部15単体、制御部４５単体、撮像装置２０単体、情報処理装置６０単体、それらの組合せであっても良い。
【００２２】
＜２．撮像システムの外観＞
図２は撮像システムの外観構成を例示した図、図３は撮像システムの外観構成を例示した斜視図である。図４は、撮像装置の正面図と側面図である。なお、図２，図３では、情報処理装置として例えばスマートフォンを用いている。
【００２３】
撮像装置２０は、円筒状に形成された外筒部２１の内部に図示せずも、撮像光学系、撮像部、信号処理部、通信部、制御部等を有している。外筒部２１の前端部には円環状のコントロールリング２２が設けられている。撮像装置２０は、コントロールリング２２の回転に応じてフォーカス位置やズーム位置を変更する。したがって、コントロールリング２２を使用すれば、フォーカス調整等のマニュアル操作が可能となる。また、外筒部２１の側面にはズームボタン４４１とシャッターボタン４４２が設けられている。撮像装置２０は、ズームボタン４４１の操作に応じてズーム位置を広角側または望遠側に変更する。また、撮像装置２０は、静止画モードである場合、シャッターボタン４４２がユーザによって操作されたときの静止画像を記録媒体に記録する処理を行う。さらに、撮像装置２０は、動画モードである場合、シャッターボタン４４２の操作に応じて、動画像の記録を開始または終了する。また、撮像装置２０には音声入力部３９が設けられている。
【００２４】
情報処理装置６０は、略長方形のケース状に形成された外筐６１の内部に図示せずも、信号処理部、通信部、制御部等を有している。また、外筐６１の一方の面（表面）に表示パネル６２が設けられている。表示パネル６２はタッチパネルを用いて構成されており表示パネル６２の所定の各位置を操作することにより各種機能が実行される。
【００２５】
撮像装置２０には、撮像装置２０と情報処理装置６０を一体的に取り付けるための取付機構部５０が設けられている。取付機構部５０には、取付部材５１，５２が設けられており、図４に示すように矢印ＦＡ方向に移動可能に構成されている。ユーザは、情報処理装置６０の形状やサイズ等に応じて取付部材５１，５２を矢印ＦＡ方向に移動させて情報処理装置６０の外筐６１に係止させることで、撮像装置２０を情報処理装置６０に対して一体的に固定する。なお、図２の（Ａ）は、情報処理装置６０の裏面側に撮像装置２０を一体的に固定した状態を示しており、図２の（Ｂ）は、情報処理装置６０の表面側（表示パネル６２側）に撮像装置２０を一体的に固定した状態を示している。また、ユーザは、情報処理装置６０の外筐６１に係止されている取付部材５１，５２を、係止方向に対して逆方向に移動させて、撮像装置２０と情報処理装置６０を分離する。
【００２６】
なお、取付機構部５０は、撮像装置２０と一体に構成されている場合に限らず、撮像装置２０と情報処理装置６０を一体的に取り付けるためのアダプタとして、撮像装置２０とは別個に構成されていてもよい。
【００２７】
＜３．撮像装置の機能構成＞
次に、撮像装置の機能構成について説明する。図５は撮像装置の機能構成を例示したブロック図である。
【００２８】
撮像装置２０は、撮像光学系３１、撮像部３２、画像処理部３３、記録再生部３４、電源部３５、センサ部３６、記憶部３７、表示部３８、音声入力部３９、通信部４１、照明部４２、操作入力部４４、制御部４５を有している。また、撮像装置２０には、記録媒体４６が設けられている。記録媒体４６は、撮像装置２０に固定されていてもよく、着脱可能に設けられもよい。
【００２９】
撮像光学系３１は、フォーカスレンズやズームレンズ等から構成されるレンズ群、絞り調整機構、レンズ群や絞り調整機構を駆動する駆動部を有している。また、撮像光学系３１は、シャッター機構や手振れ補正機構等を有してもよい。
【００３０】
撮像部３２は、ＣＣＤ（Charge Coupled Device）またはＣＭＯＳ（Complementary Metal Oxide Semiconductor）などの撮像デバイスを用いて構成されている。撮像部３２は、撮像光学系３１によって形成された被写体光学像を画像データに変換する。撮像部３２は、光電変換によって生成した画像データを画像処理部３３へ出力する。
【００３１】
画像処理部３３は、撮像部３２から出力された画像データに対して種々の信号処理等を行う。例えば、画像処理部３３は、ノイズ除去、色調補正、エッジ検出等を必要に応じて行う。画像処理部３３は、処理後の画像データを記録再生部３４へ出力する。
【００３２】
記録再生部３４は、記録媒体４６を用いて、撮像画像の画像データや音声データの記録および記録された画像データや音声データの再生を行う。記録再生部３４は、撮像部３２で生成されて画像処理部３３で処理された静止画像や動画像の画像データを記録媒体４６に記録する。また、記録再生部３４は記録媒体４６に記録されている静止画像や動画像の再生を行い、画像データを読み出す。また、記録再生部３４は、音声入力部３９で生成されて音声データを記録媒体４６に記録する。また、記録再生部３４は記録媒体４６に記録されている音声データを読み出す。なお、記録再生部３４は、画像処理部３３で処理する前の画像データを記録媒体４６に記録してもよい。また、記録再生部３４は、記録媒体４６に記録する画像データや音声データのデータ量を圧縮する符号化処理、および記録媒体４６に記録されている符号化データの復号処理を行うようにしてもよい。
【００３３】
電源部３５は、バッテリおよび電源回路で構成されている。電源部３５は、制御部４５から出力される制御信号に応じて撮像装置２０の各部へ電力供給を行う。
【００３４】
センサ部３６は、撮像装置２０の現在位置、姿勢や姿勢変化、方位等を検出する。センサ部３６は、現在位置を検出するためのセンサ、姿勢や姿勢変化を検出するためのセンサ、撮像方向等の方位を検出するためのセンサを用いて構成されており、検出結果を示すセンサ情報を制御部４５へ出力する。例えば、センサ部３６は、撮像装置２０が垂直方向や水平方向に対してどのような傾きを生じているか、また撮像装置２０が撮像光学系３１の光軸を回転軸としてどのような回転方向の位置であるか等の姿勢検出を行う。また、センサ部３６は、撮像装置２０の姿勢変化等を検出する。さらに、センサ情報を撮像画像の画像データと共に情報処理装置６０へ出力すれば、撮像装置２０の姿勢等を考慮して情報処理装置６０で撮像画像を表示することができる。例えば、撮像装置２０が水平方向に対して傾きを生じて撮像画像の生成が行われた場合、情報処理装置６０では、センサ情報に基づき撮像装置２０の傾きを補正して画像表示を行う。このように画像表示を行えば、水平方向に対して傾きを生じていない被写体が傾きを生じて表示されてしまうことを防止することが可能となる。なお、センサ部３６は、現在位置を検出するためのセンサとして例えばＧＰＳ(Global Positioning System)測位モジュール等を用いる。また、センサ部３６は、姿勢や姿勢変化を検出するためのセンサとして例えば３軸加速度センサや傾斜センサやジャイロセンサ等、撮像方向の方位を検出するためのセンサとして例えば地磁気センサ等を用いる。また、センサ部３６は、撮像装置２０の現在位置、姿勢や姿勢変化、方位等の少なくともいずれかを検出する構成であってもよい。
【００３５】
記憶部３７は、ＲＡＭ(Random Access Memory)およびＲＯＭ(Read Only Memory)などの記録媒体である。ＲＡＭは、例えば制御部４５の作業領域として利用される。また、ＲＯＭには、例えば制御部４５で種々の制御を実行するためのプログラム等が記憶されている。また、ＲＯＭやＲＡＭには、制御部４５で種々の制御を行うために用いられる制御情報等が記憶される。
【００３６】
表示部３８は、例えば液晶表示素子や発光ダイオード等を用いて構成されており、撮像装置２０の設定状態や動作状態、情報処理装置６０の動作状態等の表示を行う。
【００３７】
音声入力部３９はマイクロホンを用いて構成されている。音声入力部３９は、マイクロホンで生成された音声信号の信号レベル調整や音声信号を音声データに変換するＡ／Ｄ変換処理やデータ量を圧縮する処理等を行い、処理後の音声データを記録再生部３４に出力する。
【００３８】
通信部４１は、第１無線通信部４１１，第１アンテナ４１２，第２無線通信部４１３，第２アンテナ４１４を備えている。
【００３９】
第１無線通信部４１１は、ＮＦＣ(Near Field Communication)の通信機能を備えている。第１無線通信部４１１は、制御部４５による制御に従い、第１アンテナ４１２から略３ｃｍ〜１０ｃｍ程度、または設計によっては略７ｍｍ程度の近距離に到達する無線信号を送信し、電波到達範囲内に含まれる外部装置（例えば情報処理装置６０）とＮＦＣ通信を行う。第１無線通信部４１１は、例えばＷｉ−Ｆｉの自動接続を行うための接続情報（Wi-Fi Configuration）や、ＡＡＲ（Android Application Record）を、外部装置からのCheck Commandに応じて送信する。接続情報には、Ｗｉ−Ｆｉ接続のためのＳＳＩＤ（Service Set Identifier）、ＰａｓｓＫｅｙ（暗号化キー）等が含まれる。
【００４０】
第２無線通信部４１３は、無線ＬＡＮの通信機能を備えている。第２無線通信部４１３は、制御部４５による制御に従い、第２アンテナ４１４からＩＥＥＥ  ８０２．１１シリーズの通信規格に対応した無線信号を送信して外部装置（例えば情報処理装置６０）と通信を行う。第２無線通信部４１３は、例えば外部装置からのＷｉ−Ｆｉ接続要求に応じて、Ｗｉ−Ｆｉ認証を行い、外部装置とのＷｉ−Ｆｉ通信接続確立処理等を行う。
【００４１】
照明部４２は、制御部４５からの制御信号に基づき、所望の明るさの撮像画像が得られるように被写体に向けて照明光を出射する。
【００４２】
操作入力部４４は、ユーザによる操作入力を検出して、ユーザ操作に応じた操作信号を制御部４５へ出力する。操作入力部４４は、上述のズームボタン４４１やシャッターボタン４４２を有しており、物理的スイッチに予め機能を割り当てた構成とされている。
【００４３】
制御部４５は、記憶部３７に記録されているプログラムを実行して、操作入力部４４から供給された操作信号や記憶部３７に記憶されている制御情報、情報処理装置６０との通信結果、固定分離情報、センサ情報等に基づいて制御信号を生成する。制御部４５は、生成した制御信号を各部へ出力して、ユーザ操作に応じた動作が撮像装置２０で行われるように、撮像制御、画像処理制御、記録再生制御等を行う。また、制御部４５は、通信部４１から画像データや音声データを情報処理装置６０に送信する処理や、情報処理装置６０からの制御信号に基づいて撮像装置２０の動作を制御する処理を行う。
【００４４】
記録媒体４６は、撮像画像等が書き込まれるメモリカード等であり着脱可能に設けられている。
【００４５】
なお、撮像装置２０に固定分離判別部９１が設けられた場合、固定分離判別部９１から出力される固定分離情報は、制御部４５または通信部４１を介して情報処理装置６０の制御部８５へ出力される。また、固定分離判別部９１の処理は、制御部４５で行うようにしてもよい。
【００４６】
＜４．情報処理装置の機能構成＞
次に、情報処理装置の機能構成について説明する。図６は情報処理装置（例えばスマートフォン）の機能構成を例示したブロック図である。
【００４７】
情報処理装置６０は、通信部７１、音声入出力部７２、撮像ブロック７３、照明部７４、記録再生部７５、センサ部７６、記憶部７７、電源部７８、表示部８１、操作入力部８２、振動発生機構８３、制御部８５を有している。また、情報処理装置６０には、記録媒体８６が着脱可能に設けられている。
【００４８】
通信部７１は、第１無線通信部７１１，第１アンテナ７１２，第２無線通信部７１３，第２アンテナ７１４，第３無線通信部７１５，第３アンテナ７１６を備えている。
【００４９】
第１無線通信部７１１は、ＮＦＣ(Near Field Communication)の通信機能を備えている。第１無線通信部７１１は、制御部８５による制御に従い、第１アンテナ７１２から電波を送信して外部装置（例えば撮像装置２０）とＮＦＣ通信を行う。第２無線通信部７１３は、無線ＬＡＮの通信機能を備えている。第２無線通信部７１３は、制御部８５による制御に従い、第２アンテナ７１４からＩＥＥＥ  ８０２．１１シリーズの通信規格に対応した無線信号を送信して外部装置（例えば撮像装置２０）と通信を行う。第３無線通信部７１５は、携帯電話の通信機能を備えている。第３無線通信部７１５は、制御部８５による制御に従い、第３アンテナ７１６から例えばＬＴＥ(Long Term Evolution)等の通信規格に対応した無線信号を送信して基地局と通信を行う。
【００５０】
音声入出力部７２は、スピーカおよびマイクロホンを用いて構成されている。音声入出力部７２は、通信部７１を介して行われる音声通話の入出力を行う。また、音声入出力部７２は、通信部７１を介して撮像装置２０から出力した音声データに基づき音声出力を行う。さらに、音声入出力部７２は、記憶部７７や記録媒体８６に記録されている音楽コンテンツや動画コンテンツの再生音を出力する。また、音声入出力部７２は、携帯電話機能を利用したとき着信音等を出力する。
【００５１】
撮像ブロック７３は、撮像光学系、ＣＣＤ（Charge Coupled Device）またはＣＭＯＳ（Complementary Metal Oxide Semiconductor）などの撮像デバイス、撮像光学系や撮像デバイスを駆動する駆動部等で構成されている。撮像ブロック７３は、撮像画像の画像データを生成する。
【００５２】
照明部７４は、制御部８５からの制御信号に基づき、所望の明るさの撮像画像が得られるように被写体に向けて照明光を出射する。
【００５３】
記録再生部７５は、記録媒体８６を用いて、各種情報の記録および記録された情報の読み出しを行う。記録再生部７５は、例えば音楽コンテンツや動画コンテンツ、撮像画像、メール情報、無線通信で用いる他者のアドレス情報等を記録媒体８６に記録する。また、記録再生部７５は記録媒体８６に記録されている種々の情報の読み出しを行う。
【００５４】
センサ部７６は、情報処理装置６０の現在位置、姿勢や姿勢変化、方位等を検出する。センサ部７６は、現在位置を検出するためのセンサ、姿勢や姿勢変化を検出するためのセンサ、撮像方向等の方位を検出するためのセンサを用いて構成されており、検出結果を示すセンサ情報を制御部８５へ出力する。なお、センサ部７６は、現在位置を検出するためのセンサとして例えばＧＰＳ(Global Positioning System)測位モジュール等を用いる。また、センサ部７６は、姿勢や姿勢変化を検出するためのセンサとして例えば３軸加速度センサや傾斜センサやジャイロセンサ等、撮像方向の方位を検出するためのセンサとして例えば地磁気センサ等を用いる。また、センサ部７６は、情報処理装置６０の現在位置、姿勢や姿勢変化、方位等の少なくともいずれかを検出する構成であってもよい。
【００５５】
記憶部７７は、ＲＡＭ(Random Access Memory)およびＲＯＭ(Read Only Memory)などの記録媒体である。ＲＡＭは、例えば制御部８５の作業領域として利用される。また、ＲＯＭには、例えば制御部８５で種々の制御を実行するためのプログラム等が記憶されている。また、ＲＯＭやＲＡＭには、制御部８５で種々の制御を行うために用いられる制御情報等が記憶される。さらにＲＡＭには、音楽コンテンツや動画コンテンツ、各種アプリケーションのプログラム、撮像装置２０から供給された撮像画像、メール情報等も記録可能とされている。
【００５６】
電源部７８は、バッテリおよび電源回路で構成されている。電源部７８は制御部８５からの制御信号に基づき情報処理装置６０の各部へ電力供給を行う。
【００５７】
表示部８１は、液晶ディスプレイや有機ＥＬディスプレイなどの表示素子を用いて構成されている。表示部８１は制御部８５の制御により、ＧＵＩ（Graphical User Interface）画面、アプリケーションの動作に応じた文字や画像等を表示する。また、表示部８１は制御部８５の制御により、撮像装置２０から出力した画像データに基づいて画像表示を行う。
【００５８】
操作入力部８２は、操作スイッチやタッチパネルを用いて構成されている。タッチパネルは、表示部８１の表示画面上に設けられており、表示画面の表示に応じて機能が割り当てられる構成とされている。操作入力部８２は、ユーザ操作に応じた操作信号を生成して制御部８５へ出力する。なお、上述の表示パネル６２は、例えば表示部８１と操作入力部８２によって構成されている。
【００５９】
振動発生機構８３は、情報処理装置自体を振動させるバイブレータ機能のための機構である。振動発生機構８３は、携帯電話機能が利用されているときの着信時に制御部８５からの制御信号に基づきバイブレータ機能を働かせて、着信を情報処理装置６０の振動でユーザに通知する。
【００６０】
制御部８５は、記憶部７７に記録されているプログラムを実行して、操作入力部８２から供給された操作信号や記憶部７７に記憶されている制御情報等に基づいて制御信号を生成する。制御部８５は、生成した制御信号を各部へ出力して、ユーザ操作に応じた動作が情報処理装置６０で行われるように、通信制御、表示制御、記録再生制御等を行う。また、制御部８５は、通信部７１を制御して、撮像装置２０や基地局と無線通信を行う。また、制御部８５は、撮像装置２０との通信に基づき所定のアプリケーションプログラムを起動させる処理、プログラムの起動後に、操作信号や固定分離情報や固定関係情報等に基づき制御信号を生成して撮像装置２０へ送信する処理を行う。さらに、制御部８５は、撮像装置２０から供給された撮像画像を表示部８１に表示させる処理等を行う。
【００６１】
情報処理装置６０に固定分離判別部９１が設けられた場合、固定分離判別部９１から出力される固定分離情報は、制御部８５または通信部７１を介して撮像装置２０の制御部４５へ出力される。なお、固定分離判別部９１の処理は、制御部８５で行うようにしてもよい。
【００６２】
また、撮像装置２０と情報処理装置６０を固定するためのアダプタに固定分離判別部９１が設けられた場合、固定分離判別部９１は、判別結果を撮像装置２０の制御部４５または情報処理装置６０の制御部８５へ出力する。
【００６３】
＜５．撮像システムの動作＞
［５−１．撮像装置と情報処理装置との連携について］
次に、撮像システムの動作について説明する。図７は、撮像システムにおいて、撮像装置と情報処理装置との連携機能が開始されるまでの動作処理を示すシーケンス図である。
【００６４】
ステップＳＴ１で情報処理装置６０は、ＮＦＣ通信によりPolling Commandを発信する。ここで、情報処理装置６０の第１アンテナから所定の電波到達範囲内に撮像装置２０の第１アンテナが含まれると、ステップＳＴ２で撮像装置２０における通信部４１の第１無線通信部４１１は、Polling Commandの発信を検知する。
【００６５】
ステップＳＴ３で第１無線通信部４１１は、情報処理装置６０からのＮＦＣ通信を検知したことに応じて制御部４５に検知通知を行う。
【００６６】
ステップＳＴ４で制御部４５は、第１無線通信部４１１による検知通知に応じて制御信号を生成して電源部３５へ出力して電源ＯＮの制御を行う。
【００６７】
ステップＳＴ５で第１無線通信部４１１は、ＮＦＣ通信の検知に応じて、Command ResponseをＮＦＣ通信により発信する。
【００６８】
ステップＳＴ６で情報処理装置６０は、撮像装置２０からのCommand Responseを検知することで、ＮＦＣ通信相手を発見し、所定の情報を取得するために、Check Commandを発信する。
【００６９】
ステップＳＴ７で撮像装置２０の第１無線通信部４１１は、ＮＦＣ通信により受信したCheck Commandを制御部４５に出力する。
【００７０】
ステップＳＴ８で制御部４５は、Check Commandに応じて、応答データを第１無線通信部４１１へ出力する。ここで、応答データには、例えば上述のWi-Fi ConfigとＡＡＲが含まれる。
【００７１】
ステップＳＴ９で第１無線通信部４１１は、ＮＦＣ通信により応答データを情報処理装置６０に送信する。なお、上述のステップＳＴ６〜ステップＳＴ９は、複数回行われて、応答データが複数回に分けて送信されてもよい。
【００７２】
ステップＳＴ１０で制御部４５は、撮像準備動作を行う。制御部４５は、撮像装置２０で撮像が可能となるように準備動作を行う。また、準備動作では、撮像装置２０が撮像可能な状態となったことを識別可能とする準備動作を行ってもよい。例えば、制御部４５は、撮像光学系３１として沈胴式レンズが用いられている場合にレンズを突出させる動作や起動音を出力する動作等を行う。なお、撮像準備動作は、無線ＬＡＮ接続が完了してから行うようにしてもよい。
【００７３】
ステップＳＴ１１で情報処理装置６０は、受信したＡＡＲに従い、所定のアプリケーションを起動する。例えば、所定のアプリケーションでは、撮像装置２０から無線ＬＡＮ通信で送信された撮像画像の画像データを受信して、撮像画像を表示する処理等を行う。
【００７４】
ステップＳＴ１２で情報処理装置６０は、受信したWi-Fi Configを用いて、撮像装置２０に対してＷｉ−Ｆｉ接続を要求する。
【００７５】
ステップＳＴ１３で撮像装置２０における通信部４１の第２無線通信部４１３は、情報処理装置６０から受信した接続要求を制御部４５へ出力する。
【００７６】
ステップＳＴ１４で制御部４５は、認証を行う。なお認証は、第２無線通信部４１３で行われてもよい。
【００７７】
ステップＳＴ１５で制御部４５は、認証結果を第２無線通信部４１３へ出力する。
【００７８】
ステップＳＴ１６で第２無線通信部４１３は、認証結果を情報処理装置６０へ送信する。ステップＳＴ１７で情報処理装置６０は、認証の成功により無線ＬＡＮ接続が完了する。その後、撮像装置２０と情報処理装置６０は、無線ＬＡＮ通信を行う。
【００７９】
なお、撮像装置２０と情報処理装置６０は、無線ＬＡＮ通信等によって連携されればよく、撮像装置と情報処理装置との連携機能が実施されるまでの処理は図７に示す順序の処理に限られない。
【００８０】
［５−２．撮像装置と情報処理装置の固定/分離状態の判別について］
上述の取付機構部５０によって、図８の（Ａ）に示すように一体的に固定して使用可能とされている。また、撮像装置２０と携帯電話機能を含む情報処理装置６０は、固定状態を解除して図８の（Ｂ）に示すように分離した状態でも使用可能とされている。このように構成されている撮像装置２０または情報処理装置６０は、連携機能の開始後、携帯電話機能の利用時における撮像装置または前記情報処理装置に対して、固定状態と分離状態のいずれであるかに応じて異なる状態制御を制御部で行う。
【００８１】
撮像装置２０と情報処理装置６０が固定状態と分離状態のいずれであるかを示す固定分離情報は、取付機構部５０で生成してもよく、撮像装置２０や情報処理装置６０で生成してもよい。例えば取付機構部５０で固定分離情報を生成する場合、取付部材５１，５２が情報処理装置６０に係止されているときにオン状態となり、係止されていないときにオフ状態となるスイッチを取付部材５１，５２に設ける。このようなスイッチを設けることで、このスイッチによって生成される信号を固定分離情報として用いることができる。また、例えば撮像装置２０と取付機構部５０が分離可能とされている場合、撮像装置２０に取付機構部５０が取り付けられているときにオン状態で、分離されているときにオフ状態となるスイッチを撮像装置２０に設ける。このようなスイッチを設けることで、このスイッチによって生成される信号を固定分離情報として用いることができる。さらに、例えば情報処理装置６０で固定分離情報を生成する場合、取付部材５１，５２が情報処理装置６０に係止されているか否かを検出する検出機能を設けて、この検出機能の検出結果を固定分離情報として用いることができる。なお検出機能としては、情報処理装置６０にスイッチを設けてもよく、表示パネル６２を利用してよい。このようにして生成される固定分離情報に応じて、撮像装置２０と情報処理装置６０が互いに固定された固定状態と分離した分離状態のいずれにあるか判別できるようにする。
【００８２】
［５−３．撮像システムの状態制御動作］
次に、連携機能が開始された後に携帯電話機能が利用される場合での状態制御動作について説明する。なお、以下の説明では、特に記載のない場合、情報処理装置６０の制御部８５で状態制御を行うとする。また、連携機能が開始されて、撮像装置２０で生成された画像データが情報処理装置６０に送信されて、情報処理装置６０の表示部８１でモニタ画像または記録中の動画像が表示されているとする。さらに、携帯電話機能の利用として、通話機能が利用される場合について説明する。
【００８３】
［５−３−１．着信に関した状態制御動作］
図９は、着信時の状態制御動作を示すフローチャートである。情報処理装置６０の制御部８５は、図９に示すフローチャートの動作を繰り返し行い、撮像装置２０と情報処理装置６０が互いに固定状態であるか否かに応じて、着信時の状態制御を切り替える。ステップＳＴ２１で制御部８５は固定状態であるか判別する。制御部８５は、固定分離情報に基づき撮像装置２０と情報処理装置６０が互いに固定状態であるか判別して、固定状態であると判別した場合はステップＳＴ２２に進み、分離状態であると判別した場合はステップＳＴ２５に進む。
【００８４】
ステップＳＴ２２で制御部８５は着信があるか判別する。制御部８５は、第３無線通信部７１５からの受信信号に基づき、通話機能における呼び出しを検出した場合は着信があると判別してステップＳＴ２３に進み、呼び出しを検出していない場合は着信がないと判別して着信時の状態制御を終了する。
【００８５】
ステップＳＴ２３で制御部８５は固定状態対応の着信通知を行う。制御部８５は、固定状態を考慮した通知方法を用いて着信通知を行う。制御部８５は、撮像装置で取得した被写体の画像や音声等の情報を記録している場合に、記録される情報に着信の通知の影響を生じない通知方法を用いて着信通知を行う。例えば、情報処理装置を振動させる通知方法や着信音を出力する通知方法を用いた場合、情報処理装置に撮像装置が固定されていると、情報処理装置の振動によって撮像装置で記録される画像にぶれによるボケを生じてしまうおそれがある。また、情報処理装置の着信音や振動音が撮像装置で記録されてしまう。したがって、情報処理装置は、記録される情報に着信の通知の影響を生じない通知方法として、例えば着信を示すアイコン等の着信通知画像をモニタ画像（動画像）と共に表示部８１の画面上に表示して着信通知を行う。
【００８６】
ステップＳＴ２１からステップＳＴ２５に進むと、制御部８５は着信があるか判別する。制御部８５は、第３無線通信部７１５からの受信信号に基づき、呼び出しを検出した場合は着信があると判別してステップＳＴ２６に進み、呼び出しを検出していない場合は着信時の状態制御を終了する。
【００８７】
ステップＳＴ２６で制御部８５は分離状態対応の着信通知を行う。制御部８５は、分離状態を考慮した通知方法を用いて着信通知を行う。例えば撮像装置で取得した被写体の画像や音声等の情報を記録している場合に、情報処理装置６０が撮像装置２０から離れていると、情報処理装置６０が振動しても撮像装置２０で記録される画像には影響を生じない。また、情報処理装置６０からの着信音や振動音が撮像装置２０で記録されにくい。したがって、制御部８５は、着信を示すアイコン等の着信通知画像をモニタ画像（動画像）と共に表示部８１の画面上に表示する制御や音声入出力部から着信音を出力する制御、振動発生機構によって情報処理装置を振動させる制御等を行う。このように、制御部８５は、着信をユーザに通知して着信時の状態制御を終了する。
【００８８】
図１０は、撮像時に着信を生じた場合の動作を例示している。なお、図１０では、撮像装置２０と情報処理装置６０の着脱状態（取付機構部は図示せず）および情報処理装置６０における表示部８１の表示画面を例示している。
【００８９】
図１０の（Ａ）は、撮像装置２０と情報処理装置６０が互いに固定状態であるときの非着信時の動作を例示しており、表示部８１の画面上には例えば記録中の動画像が表示されている。図１０の（Ｂ）は、撮像装置２０と情報処理装置６０が互いに固定状態であるときの着信時の動作を例示している。固定状態であるときの着信時には、記録される情報に着信の通知の影響を生じないように、固定状態対応の着信通知を行う。したがって、表示部８１の画面上には例えば記録中の動画像と共に着信を示す着信通知画像ＧＡが表示される。また、情報処理装置６０を振動させる通知方法や着信音を出力する通知方法は用いられない。なお、撮像装置２０と情報処理装置６０の連携時には、表示部８１の画面上に例えば記録中の動画像が表示されるため、着信通知画像で隠れてしまう動画像部分が少なくなるように、着信通知画像の表示領域サイズは識別可能で小さいサイズとする。
【００９０】
図１０の（Ｃ）は、撮像装置２０と情報処理装置６０が互いに分離状態であるときの非着信時の動作を例示しており、表示部８１の画面上には例えば記録中の動画像が表示されている。図１０の（Ｄ）は、撮像装置２０と情報処理装置６０が互いに分離状態であるときの着信時の動作を例示している。分離状態であるときの着信時には、記録される情報に着信の通知の影響を生じにくいことから、分離状態対応の着信通知を行う。したがって、表示部８１の画面上には例えば記録中の動画像と共に着信を示す着信通知画像ＧＡが表示される。また、情報処理装置を振動させる通知方法や着信音を出力する通知方法も用いることが可能とされる。
【００９１】
また、図１０の（Ｅ）は、情報処理装置６０が撮像装置２０と連携されていない場合の着信時の動作を例示している。情報処理装置６０が撮像装置２０と連携されていない場合は、連携されている場合と異なる状態制御を行う。例えば、情報処理装置６０が撮像装置２０と連携されていない場合は表示部８１の画面上に撮像画像が表示されていない。したがって、表示領域を広く利用した着信通知画像ＧＢを表示する制御を行う。このような制御を行えば、表示領域を有効に活用して着信通知を行うことができる。
【００９２】
図１１は、着信時の他の状態制御動作を示すフローチャートである。情報処理装置６０の制御部８５は、図１１に示すフローチャートの動作を繰り返し行い、撮像装置２０と情報処理装置６０が互いに固定状態であるか否かに応じて、着信時の状態制御を切り替える。
【００９３】
ステップＳＴ２１で制御部８５は固定状態であるか判別する。制御部８５は、固定分離情報に基づき撮像装置２０と情報処理装置６０が互いに固定状態であるか判別して、固定状態であると判別した場合はステップＳＴ２２に進み、分離状態であると判別した場合はステップＳＴ２５に進む。
【００９４】
ステップＳＴ２２で制御部８５は着信があるか判別する。制御部８５は、着信があると判別した場合にステップＳＴ２４に進み、着信がないと判別した場合に着信時の状態制御を終了する。
【００９５】
ステップＳＴ２４で制御部８５は着信通知を禁止する。制御部８５は、動画撮像中であることから着信通知を禁止して着信時の状態制御を終了する。なお、制御部８５は、動画撮像中の着信通知を禁止したことから、動画撮像が終了された場合に着信があったことをユーザに通知する。この場合、動画撮像が終了していることから、ユーザに対する通知はアイコン等の着信通知画像に限らず、音や振動等を利用してもよい。
【００９６】
ステップＳＴ２１からステップＳＴ２５に進むと、制御部８５は着信があるか判別する。制御部８５は、着信があると判別した場合にステップＳＴ２６に進み、着信がないと判別した場合に着信時の状態制御を終了する。
【００９７】
ステップＳＴ２６で制御部８５は分離状態対応の着信通知を行う。制御部８５は、上述のように分離状態を考慮した通知方法を用いて着信通知を行い着信時の状態制御を終了する。
【００９８】
図１２は、撮像時に着信を生じた場合の他の動作を例示している。なお、図１２では、撮像装置２０と情報処理装置６０の着脱状態（取付機構部は図示せず）および情報処理装置６０における表示部８１の表示画面を例示している。
【００９９】
図１２の（Ａ）は、撮像装置２０と情報処理装置６０が互いに固定状態であるときの非着信時の動作を例示しており、表示部８１の画面上には例えば記録中の動画像が表示されている。図１２の（Ｂ）は、撮像装置２０と情報処理装置６０が互いに固定状態であるときの着信時の動作を例示している。固定状態であるときは着信通知が禁止される。したがって、着信があっても非着信時の動作が継続される。図１２の（Ｃ）は、撮像装置２０と情報処理装置６０が互いに固定状態であるときの動画撮像終了時の動作を例示している。動画撮像の終了時には、撮像中に着信があったことを示す着信通知画像ＧＣが表示部８１の画面上に表示される。
【０１００】
また、図９に示すステップＳＴ２３の処理と図１１に示すステップＳＴ２４の処理は、動作モードに応じて選択できるように構成してもよい。例えば撮像優先モードに設定されている場合、ステップＳＴ２４の処理を行うようにすれば、着信の影響を受けることなく撮像を行うことができる。
【０１０１】
また、分離状態であるときも撮像優先モードに設定できるようにしてもよい。例えば、分離状態で撮像優先モードに設定されている場合、画像や音による着信通知を行わないようにすれば、撮像装置と情報処理装置が分離状態であるが近接している場合に、出力された着信音が記録されてしまうことが確実にないようにすることができる。また、画面上に着信の通知が表示されないので、ユーザは撮像状況の確認を着信状況にかかわらず良好に行うことができる。
【０１０２】
さらに、個々の着信通知機能に対して優先レベルを設定して、ユーザが指定したレベルよりも優先レベルの高い着信通知を行うようにしてもよい。
【０１０３】
なお、撮像装置と情報処理装置が分離状態である場合、撮像装置は、情報処理装置での着信に応じて表示部で着信通知を行う。撮像装置は、情報処理装置の着信時、例えば表示部の発光ダイオードを点滅させて着信通知を行う。このようにすれば、情報処理装置が例えば離れた位置に置いてある場合でもユーザは容易に着信を判別できる。
【０１０４】
また、上述の動作は通話機能における呼び出しが生じた場合について説明したが、メール機能の利用時には、メール受信時に上述のような状態制御を行うようにする。
【０１０５】
以上のように、制御部は、携帯電話機能に対する着信時における撮像装置または情報理装置に対して、固定状態と分離状態のいずれであるかに応じて異なる状態制御、すなわち、記録される画像や音声等に着信通知の影響が生じないように着信の通知方法を切り替える制御を行う。したがって、この技術の撮像システムによれば、着信通知の影響が生じないように撮像動作を行うことができる。
【０１０６】
［５−３−２．着信応答時の状態制御動作］
図１３は、着信応答時の状態制御動作を示したフローチャートである。ステップＳＴ３１で制御部８５は着信中であるか判別する。制御部８５は、着信中であると判別した場合はステップＳＴ３２に進み、着信中でないと判別した場合はステップＳＴ３８に進む。
【０１０７】
ステップＳＴ３２で制御部８５は固定状態であるか判別する。制御部８５は、固定分離情報に基づき撮像装置２０と情報処理装置６０が互いに固定状態であるか判別して、固定状態であると判別した場合はステップＳＴ３３に進み、分離状態であると判別した場合はステップＳＴ３８に進む。
【０１０８】
ステップＳＴ３３で制御部８５は分離状態へ遷移したか判別する。制御部８５は、固定分離情報に基づき撮像装置２０と情報処理装置６０が固定状態から分離状態に遷移したか判別して、分離状態に遷移したと判別した場合はＳＴ３４に進み、固定状態が維持されていると判別した場合はステップＳＴ３８に進む。
【０１０９】
ステップＳＴ３４で制御部８５は着信の応答を開始する。制御部８５は、固定状態から分離状態への状態遷移を着信に対する応答の開始指示として、呼び出し元との通話が可能となるように各部を制御する。さらに、制御部８５は、ユーザが着信に対する応答を行うために所望の被写体の撮像を継続できないおそれがあるとして、撮像装置が撮像モードであるときは撮像モードを終了して、着信応答時の状態制御を終了する。
【０１１０】
ステップＳＴ３１，３２，３３からステップＳＴ３８に進むと、制御部８５は撮像を継続する。すなわち、制御部８５は、表示部８１で記録中の動画像の表示を継続して着信応答時の状態制御を終了する。
【０１１１】
図１４は、着信応答時の動作を例示している。なお、図１４では、撮像装置２０と情報処理装置６０の着脱状態（取付機構部は図示せず）および情報処理装置６０における表示部８１の表示画面を例示している。
【０１１２】
図１４の（Ａ）は、撮像装置２０と情報処理装置６０が互いに固定状態であるときの非着信時の動作を例示しており、表示部８１の画面上には例えば記録中の動画像が表示されている。図１４の（Ｂ）は、撮像装置２０と情報処理装置６０が互いに固定状態であるときの着信時の動作を例示している。固定状態であるときの着信時には、記録される情報に着信の通知の影響を生じないように、固定状態対応の着信通知を行う。したがって、表示部８１の画面上には例えば記録中の動画像と共に着信を示す着信通知画像ＧＡが表示される。また、記録される情報に着信の通知の影響を生じないように、情報処理装置６０を振動させる通知方法や着信音を出力する通知方法は用いられない。図１４の（Ｃ）は、撮像装置２０と情報処理装置６０が互いに固定状態であるときの着信応答時の動作を例示している。ユーザは、固定状態である撮像装置２０と情報処理装置６０を、図に示すように分離状態とする。このとき情報処理装置６０は、固定状態から分離状態への遷移を判別して着信の応答を開始する。したがって、表示部８１の画面上には例えば着信応答中であることを示す着信応答画像ＧＤが表示される。
【０１１３】
図１５は、着信応答時の他の状態制御動作を示したフローチャートである。ステップＳＴ３１で制御部８５は着信中であるか判別する。制御部８５は、着信中であると判別した場合はステップＳＴ３２に進み、着信中でないと判別した場合はステップＳＴ３８に進む。
【０１１４】
ステップＳＴ３２で制御部８５は固定状態であるか判別する。制御部８５は、固定分離情報に基づき撮像装置２０と情報処理装置６０が互いに固定状態であるか判別して、固定状態であると判別した場合はステップＳＴ３３に進み、分離状態であると判別した場合はステップＳＴ３５に進む。
【０１１５】
ステップＳＴ３３で制御部８５は分離状態へ遷移したか判別する。制御部８５は、固定分離情報に基づき撮像装置２０と情報処理装置６０が固定状態から分離状態に遷移したか判別して、分離状態に遷移したと判別した場合はＳＴ３４に進み、固定状態が維持されていると判別した場合はステップＳＴ３８に進む。
【０１１６】
ステップＳＴ３４で制御部８５は着信の応答を開始する。制御部８５は、固定状態から分離状態への状態遷移を着信に対する応答の開始指示として、呼び出し元との通話が可能となるように各部を制御する。さらに、制御部８５は、ユーザが着信に対する応答を行うために所望の被写体の撮像を継続できないおそれがあるとして、撮像装置が撮像モードであるときは撮像モードを終了して、着信応答時の状態制御を終了する。
【０１１７】
ステップＳＴ３２からステップＳＴ３５に進むと、制御部８５は応答操作が行われたか判別する。制御部８５は、例えば着信に対する応答を行う旨のユーザ操作が行われた場合はステップＳＴ３６に進み、応答操作が行われない場合はステップＳＴ３８に進む。
【０１１８】
ステップＳＴ３６で制御部８５は分離状態を考慮して着信の応答を開始する。制御部８５は、情報処理装置６０と分離されている撮像装置２０で撮像を継続しながら、着信に対する応答を行うことができるようにする。例えば制御部８５は、通話の呼び出しがある場合、スピーカフォンモード（ハンズフリーモード）で通話を開始して、着信応答時の状態制御を終了する。
【０１１９】
ステップＳＴ３１，３３，３５からステップＳＴ３８に進むと、制御部８５は撮像を継続する。すなわち、制御部８５は、表示部８１で記録中の動画像の表示を継続して着信応答時の状態制御を終了する。
【０１２０】
図１６は、着信応答時の他の動作を例示している。図１６の（Ａ）は、撮像装置２０と情報処理装置６０が互いに分離状態であるときの非着信時の動作を例示しており、例えばユーザは撮像装置２０を用いて自分撮りを行っている。また、ユーザは情報処理装置６０を手にしている。ここで、情報処理装置６０で着信例えば通話の呼び出しを判別したとき、撮像装置２０と情報処理装置６０が互いに分離状態であることから、情報処理装置６０で音や振動を発生させて呼び出しを行う。図１６の（Ｂ）は、撮像装置２０と情報処理装置６０が互いに分離状態であるときの着信応答時の動作を例示している。制御部８５は、通話の呼び出しがある場合にスピーカフォンモード（ハンズフリーモード）で通話を開始する。このように着信の応答を行えば、自分撮りの状態を継続しながら通話を容易に行うことができる。
【０１２１】
また、撮像装置と情報処理装置が分離状態に遷移して着信の応答が行われた場合、撮像装置の表示部を利用して着信応答開始表示や着信応答中表示を行う。撮像装置は、着信の応答が行われた場合、例えば表示部の発光ダイオードを点滅状態から点灯状態とする。このようにすれば、撮像装置の表示部によって情報処理装置で着信応答が行われていることを容易に判別できる。
【０１２２】
また、メール機能の利用時には、着信の応答の動作として例えば受信したメールの内容を表示部８１の画面上に自動的に表示する状態制御を行う。
【０１２３】
以上のように、制御部は、携帯電話機能の着信応答時における撮像装置または情報処理装置に対して、固定状態から分離状態の状態遷移を着信に対する応答の開始指示とする。したがって、この技術の撮像システムによれば、着信に対する応答を容易に行うことができる。
【０１２４】
［５−３−３．着信応答開始から着信終了時における状態制御動作］
図１７は、着信応答開始から着信終了時における状態制御動作を示したフローチャートである。ステップＳＴ４１で制御部８５は着信の応答が開始されたか判別する。制御部８５は、着信の応答が開始された場合はステップＳＴ４２に進み、着信に対する応答が行われていない場合は着信応答終了時の状態制御を終了する。
【０１２５】
ステップＳＴ４２で制御部８５は応答対応制御を行う。制御部８５は、着信に対する応答が行われたとき、撮像装置２０が応答時に適した動作となるように応答対応制御を行う。例えば、着信に対する応答では、ユーザの関心が撮像動作から応答動作に変化しているため、撮像方向が所望の被写体と異なる方向となって不必要な画像の記録等が行われるおそれがある。そこで、制御部８５は、応答対応制御として制御信号を撮像装置２０に送信して、動画の撮像を中断する状態制御、撮像の中断に応じて沈胴式のレンズを収納する状態制御、消費電力を削減する状態制御例えば電源モードをオフ状態やスタンバイ状態または省電力モード等に切り替える状態制御等を行う。このように、制御部８５は応答対応制御を行ってステップＳＴ４３に進む。
【０１２６】
ステップＳＴ４３で制御部８５は着信応答の終了であるか判別する。制御部８５は、通話を終了する操作や着信応答中での分離状態から固定状態への状態遷移を、着信に対する応答の終了指示とする。制御部８５は、着信応答の終了と判別した場合はステップＳＴ４４に進む。また、制御部８５は、着信応答の終了でないと判別した場合は着信応答終了時の状態制御を終了する。
【０１２７】
ステップＳＴ４４で制御部８５は着信時に撮像中であったか判別する。制御部８５は着信時に撮像中であった場合、ステップＳＴ４５に進む。また、制御部８５は、着信時に撮像中でなかった場合は着信応答終了時の状態制御を終了する。
【０１２８】
ステップＳＴ４５で制御部８５は撮像再開制御を行う。制御部８５は、制御信号を生成して撮像装置２０に送信して、撮像装置２０の撮像動作を再開する。制御部８５は、例えば撮像装置２０の電源モードをオフ状態やスタンバイ状態または省電力モード等からオン状態とする状態制御、収納されているレンズを繰り出す状態制御、情報処理装置６０の表示部８１でモニタ画像を表示する状態制御等を行う。また、着信応答時の制御によって撮像画像や音声の記録が終了された場合、制御部８５は、自動的に記録を開始してもよく、モニタ画像を表示している状態でユーザからの記録開始指示を待っているスタンバイ状態としてもよい。また、いずれの動作を行うか予めユーザが設定できるようにしてもよい。ここで、自動的に記録を開始するモードが選択されている場合、例えば通話やメール機能の終了時に撮像画像や音声の記録が自動的に開始される。また、スタンバイ状態とするモードが選択されている場合、所望の撮像画像が得られる状態となってからユーザが記録開始指示を行うことで、撮像動作の再開時に不要な撮像画像等が記録されてしまうことを防止できる。このように、制御部８５は、撮像を再開して着信応答終了時の状態制御を終了する。
【０１２９】
図１８は、着信終了時の動作を例示している。図１８の（Ａ）は、撮像装置２０と情報処理装置６０が互いに固定状態であるときの着信応答時の動作を例示している。情報処理装置６０の制御部８５は、例えば撮像装置２０における動画の撮像を中断させてレンズを収納状態して、電源モードをオフ状態やスタンバイ状態または省電力モード等に切り替える。図１８の（Ｂ）は、撮像装置２０と情報処理装置６０が互いに固定状態であるときの着信応答終了時の動作を例示している。情報処理装置６０の制御部８５は、例えば着信応答時の応答対応制御によって動画の撮像を中断したとき、撮像装置２０の電源モードをオン状態に戻してレンズを繰り出し、表示部８１の画面上にモニタ画像を表示したのち、ユーザ操作に応じて撮像動作を再開する。
【０１３０】
なお、撮像装置と情報処理装置が分離状態である場合、撮像装置は情報処理装置での応答の終了に応じて表示部を利用して着信応答終了表示を行う。撮像装置は、情報処理装置で応答が終了された場合、表示部の発光ダイオードを点灯状態から消灯状態とする。このようにすれば、撮像装置の表示部によって情報処理装置で応答が終了されたことを容易に判別できる。
【０１３１】
また、メール機能の利用時には、着信の応答終了の動作として例えばメール内容の表示を終了して、上述のようにモニタ画像の表示等を行う。
【０１３２】
以上のように、制御部は、分離状態から固定状態の状態遷移を着信応答に対する終了指示とする。また、着信応答終了時には、着信応答時に中断された動作を再開できるように状態制御が行われる。したがって、この技術の撮像システムによれば、着信応答の終了や撮像装置を着信応答前の動作に戻す復帰処理を容易に行うことができる。
【０１３３】
［５−３−４．他の状態制御動作］
ところで、撮像装置２０と情報処理装置６０の状態制御動作は、上述の動作に限られない。図１９は、上述の動作を含めて、撮像装置２０と情報処理装置６０で行われる状態制御動作を一覧として例示している。撮像装置２０と情報処理装置６０は、携帯電話機能の利用時における撮像装置または情報処理装置に対して、固定状態と分離状態のいずれであるかに応じて、図１９に示すように異なる状態制御を行う。
【０１３４】
＜着信時に関して＞
撮像装置２０が静止画または動画の記録を行う動作モードであって固定状態の場合、情報処理装置６０は、撮像装置２０と情報処理装置６０が連携されていない場合に比べて小さいサイズのアイコン（着信通知画像）を表示して着信通知を行う。このように小さいサイズのアイコンを表示することで、撮像画を確認しながら着信を判別できるようにする。また、情報処理装置６０は、静止画の記録で連写や音声記録の場合や動画の記録の場合、着信音の出力や振動を行わないようにする。分離状態の場合、情報処理装置６０は、撮像装置２０と情報処理装置６０が連携されていない場合に比べて小さいサイズのアイコンを表示して着信通知を行う。また、情報処理装置６０は、着信音の出力や振動を行う。なお、撮像装置２０は、表示の点滅等によって着信表示を行っても良い。
【０１３５】
＜着信応答開始に関して＞
着信時に撮像装置２０が静止画または動画の記録を行う動作モードであって固定状態の場合、情報処理装置６０は、分離状態への遷移により例えば通常通話モードでの通話やメール内容の表示を行う。撮像装置２０は、分離状態への遷移により撮像モードを終了して例えばレンズを沈胴させる。また、レンズの沈胴は例えば録画中でない場合や遷移時に録画を中断するように設定されている場合に行うようにしてもよい。分離状態の場合、情報処理装置６０は、例えば通話開始操作によりスピーカフォンモードでの通話やメール機能選択操作によりメール機能の動作を行う。なお、撮像装置２０では、表示の点灯等によって着信応答開始表示を行っても良い。
【０１３６】
＜着信応答中に関して＞
着信時に撮像装置２０が静止画または動画の記録を行う動作モードであって固定状態の場合、情報処理装置６０は、通話やメール関連の表示および音声入出力を行う。撮像装置２０は、電源オフ状態やスタンバイ状態、省電力モード等に変更して消費電力を削減する。分離状態の場合、情報処理装置６０は、通話やメール関連の表示および音声入出力を行う。なお、撮像装置２０は、表示の点灯等によって着信応答中表示を行っても良い。
【０１３７】
＜着信応答終了に関して＞
着信時に撮像装置２０が静止画または動画の記録を行う動作モードであって固定状態の場合、情報処理装置６０は、元の状態への遷移すなわち分離状態から固定状態への遷移により通話やメール機能を終了する。また、撮像装置２０は、元の状態への遷移により撮像モードを再開して例えばレンズを繰り出す。なお、動画の記録動作は遷移に応じて自動的に開始してもよく、ユーザの指示に応じて記録動作を開始してもよい。分離状態の場合、情報処理装置６０は、例えば通話終了操作やメール機能操作により通話やメール機能を終了する。なお、撮像装置２０では、表示の消灯等によって応答の終了を通知して良い。
【０１３８】
＜アラーム通知等に関して＞
携帯電話機能の利用について異常等が発生した場合にはアラーム通知を行い、アラーム通知時における撮像装置または情報処理装置に対して、固定状態と分離状態のいずれであるかに応じて、異なる状態制御を行う。例えば撮像装置と情報処理装置が固定状態である場合、撮像装置で生成される情報にアラームの影響を生じないように、固定状態対応のアラーム通知例えば情報処理装置でアラーム内容を識別可能とするアイコンを表示させてアラームの通知を行う。また、撮像装置と情報処理装置が分離状態である場合、撮像装置で生成される情報に情報処理装置のアラーム通知の影響を生じにくいことから、分離状態対応のアラーム通知、例えば情報処理装置でアラーム内容を識別可能とするアイコン表示や、アラーム音、振動等を発生させる。このように、異常等の発生時における撮像装置または情報処理装置に対して、固定状態と分離状態のいずれであるかに応じて異なる状態制御を行うことで、記録される被写体の画像や音声等の情報に影響を与えないようにアラーム通知を行うことができる。なお、状態制御では、図１９に示す制御のいずれかを選択的に行ってもよく、図１９に示されていない制御が行われてもよい。
【０１３９】
また、上述の説明では、情報処理装置の制御部で状態制御を行っているが、撮像装置の制御部で行ってもよい。この場合、撮像装置の制御部は、情報処理装置から携帯電話機能の利用状態を示す情報を無線信号で取得する。撮像装置の制御部は、取得した情報に基づき情報処理装置の動作を制御する制御信号を生成して、無線信号として情報処理装置に送信する。このようにすれば、情報処理装置の制御部で状態制御を行う場合と同様に、撮像システムの状態制御を行うことができる。また、撮像装置や情報処理装置と別個に設けられた制御部で状態制御を行う場合、撮像装置や情報処理装置から種々の情報を取得して、取得した情報に基づき制御信号を生成して各装置に供給する。このようにすれば、撮像装置と情報処理装置が連携されていない状態でも、上述のような状態制御を行うことができる。
【０１４０】
さらに、撮像装置と情報処理装置が互いに分離状態であっても、撮像装置と情報処理装置との距離が遠いと、情報処理装置からの着信音が撮像装置で記録されることがない。したがって、撮像装置と情報処理装置が分離状態であるとき、離間距離に応じて状態制御を行うようにしてもよい。例えば、所定距離以内である場合、撮像装置と情報処理装置が分離状態であっても着信音を発生させないようにする。このようにすれば、離間距離に応じて、情報処理装置の携帯電話機能による影響を考慮した撮像動作を行うことができる。なお、撮像装置と情報処理装置の離間距離の測定は、例えば撮像装置と情報処理装置間の無線通信における信号強度等を利用してもよく、超音波や光等を用いた測距センサ等を用いてもよい。
【０１４１】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させる。または、各種処理が実行可能な汎用コンピュータにプログラムをインストールして実行させることが可能である。
【０１４２】
例えば、プログラムは記録媒体としてのハードディスクやＳＳＤ（Solid State Drive）、ＲＯＭ（Read Only Memory）に予め記録しておくことができる。あるいは、プログラムはフレキシブルディスク、ＣＤ−ＲＯＭ（Compact Disc Read Only Memory），ＭＯ（Magneto optical）ディスク，ＤＶＤ（Digital Versatile Disc）、ＢＤ（Blu-Ray Disc（登録商標））、磁気ディスク、半導体メモリカード等のリムーバブル記録媒体に、一時的または永続的に格納（記録）しておくことができる。このようなリムーバブル記録媒体は、いわゆるパッケージソフトウェアとして提供することができる。
【０１４３】
また、プログラムは、リムーバブル記録媒体からコンピュータにインストールする他、ダウンロードサイトからＬＡＮ（Local Area Network）やインターネット等のネットワークを介して、コンピュータに無線または有線で転送してもよい。コンピュータでは、そのようにして転送されてくるプログラムを受信し、内蔵するハードディスク等の記録媒体にインストールすることができる。
【０１４４】
なお、本明細書に記載した効果はあくまで例示であって限定されるものではなく、記載されていない付加的な効果があってもよい。また、本技術は、上述した技術の実施の形態に限定して解釈されるべきではない。この技術の実施の形態は、例示という形態で本技術を開示しており、本技術の要旨を逸脱しない範囲で当業者が実施の形態の修正や代用をなし得ることは自明である。すなわち、本技術の要旨を判断するためには、請求の範囲を参酌すべきである。
【０１４５】
また、本技術の撮像システムは以下のような構成も取ることができる。
（１）  撮像装置と携帯電話機能を含む情報処理装置とが互いに固定された固定状態と、前記撮像装置と前記情報処理装置とが互いに分離された分離状態のいずれにあるかを示す固定分離情報と、前記携帯電話機能の動作状況とに応じて、前記撮像装置または前記情報処理装置に対して異なる状態制御を行う制御部を
備える撮像システム。
（２）  前記制御部は、前記携帯電話機能における着信時に、前記固定分離情報が、前記固定状態と前記分離状態のいずれを示すかに応じて、前記状態制御として着信の通知方法を切り替える（１）に記載の撮像システム。
（３）  前記制御部は、前記固定分離情報が前記固定状態を示す場合、前記着信の通知方法を前記撮像装置で撮像される情報に対する着信の通知の影響が少ない通知方法とする（２）に記載の撮像システム。
（４）  前記制御部は、前記固定分離情報が前記固定状態を示す場合、前記着信の通知方法を、前記撮像装置で着信の通知を提示させる方法とする（２）に記載の撮像システム。
（５）  前記制御部は、前記固定分離情報に基づいて、前記携帯電話機能における着信中での前記固定状態から前記分離状態への状態遷移を判別し、前記状態遷移が判別された場合に、前記状態制御として前記着信に対する応答の開始指示を行う（１）乃至（４）の何れかに記載の撮像システム。
（６）  前記制御部は、前記固定状態で前記撮像装置が撮像モードであり、前記携帯電話機能における着信中において、前記固定分離情報に基づいて前記固定状態から前記分離状態への状態遷移を判別した場合に、前記状態制御として前記撮像モードを終了させる（１）乃至（５）の何れかに記載の撮像システム。
（７）  前記制御部は、前記撮像モードの終了後、前記着信に対する応答終了に基づいて前記撮像モードを再開させる（６）に記載の撮像システム。
（８）  前記制御部は、前記固定分離情報が前記分離状態を示し、前記携帯電話機能の動作状況が着信である場合に、前記状態制御として、前記着信に対する応答方式をスピーカフォンモードとする（１）乃至（７）の何れかに記載の撮像システム。
（９）  前記制御部は、前記固定分離情報が前記分離状態を示し、前記情報処理装置で前記携帯電話機能における着信応答中である場合、前記状態制御として前記着信応答中であることを前記撮像装置で提示させる（１）乃至（８）の何れかに記載の撮像システム。
（１０）  前記制御部は、前記固定分離情報に基づいて、前記携帯電話機能における着信応答中での前記分離状態から前記固定状態への状態遷移を判別し、前記状態遷移が判別された場合に、前記状態制御として、前記状態遷移を前記着信に対する応答の終了指示を行う（１）乃至（９）の何れかに記載の撮像システム。
（１１）  前記制御部は、前記着信応答に応じて前記撮像装置で撮像モードが終了された場合、前記状態制御として、前記応答の終了指示に応じて前記撮像装置で前記撮像モードを再開させる（１０）に記載の撮像システム。
（１２）  前記制御部は、前記撮像装置と前記情報処理装置が連携されている場合に、前記固定状態と前記分離状態のいずれであるかに応じて異なる状態制御を行う（１）乃至（１１）の何れかに記載の撮像システム。
（１３）  前記制御部は、前記携帯電話機能における着信時の通知について、前記情報処理装置が前記撮像装置と連携されているか否かに応じて異なる状態制御を行う（１）乃至（１２）の何れかに記載の撮像システム。
（１４）  前記撮像装置と前記情報処理装置が前記固定状態と前記分離状態のいずれであるかを判別する固定分離判別部をさらに備える（１）乃至（１３）の何れかに記載の撮像システム。
（１５）  前記撮像装置は、前記画像データまたは前記画像データと音声データの生成を行う（１）乃至（１４）の何れかに記載の撮像システム。
【産業上の利用可能性】
【０１４６】
この技術の撮像システム、撮像装置、情報処理装置および方法とプログラムでは、撮像装置と携帯電話機能を含む情報処理装置とが互いに固定された固定状態と、撮像装置と情報処理装置とが互いに分離された分離状態のいずれにあるかを示す固定分離情報と、携帯電話機能の動作状況とに応じて、撮像装置または情報処理装置に対して異なる状態制御が制御部で行われる。このため、情報処理装置の携帯電話機能と撮像装置の撮像機能の利便性を両立することが可能となる。したがって、表示機能を有していない撮像装置がスマートフォン等の情報処理装置に固定または分離可能であって、撮像装置と情報処理装置間で通信を行い例えば撮像装置で生成された撮像画像を情報処理装置で確認できるように構成された撮像システム等に適している。
【符号の説明】
【０１４７】
１０・・・撮像システム
１５，４５，８５，９５・・・制御部
２０・・・撮像装置
２１・・・外筒部
２２・・・コントロールリング
３１・・・撮像光学系
３２・・・撮像部
３３・・・画像処理部
３４，７５・・・記録再生部
３５，７８・・・電源部
３６，７６・・・センサ部
３７，７７・・・記憶部
３８，８１・・・表示部
３９・・・音声入力部
４１，７１・・・通信部
４２，７４・・・照明部
４４，８２・・・操作入力部
４６，８６・・・記録媒体
５０・・・取付機構部
５１，５２・・・取付部材
６０・・・情報処理装置
６１・・・外筐
６２・・・表示パネル
７２・・・音声入出力部
７３・・・撮像ブロック
７８・・・電源部
８３・・・振動発生機構
９１・・・固定分離判別部
４１１，７１１・・・第１無線通信部
４１２，７１２・・・第１アンテナ
４１３，７１３・・・第２無線通信部
４１４，７１４・・・第２アンテナ
４４１・・・ズームボタン
４４２・・・シャッターボタン
７１５・・・第３無線通信部
７１６・・・第３アンテナ
【図１】
0006614143.tif 000002
【図２】
0006614143.tif 000003
【図３】
0006614143.tif 000004
【図４】
0006614143.tif 000005
【図５】
0006614143.tif 000006
【図６】
0006614143.tif 000007
【図７】
0006614143.tif 000008
【図８】
0006614143.tif 000009
【図９】
0006614143.tif 000010
【図１０】
0006614143.tif 000011
【図１１】
0006614143.tif 000012
【図１２】
0006614143.tif 000013
【図１３】
0006614143.tif 000014
【図１４】
0006614143.tif 000015
【図１５】
0006614143.tif 000016
【図１６】
0006614143.tif 000017
【図１７】
0006614143.tif 000018
【図１８】
0006614143.tif 000019
【図１９】
0006614143.tif 000020